(57)【特許請求の範囲】
【請求項１】
車体のウインドシールドの縁部と前記車体に設けられた車体部材とに支持されて、これらウインドシールドと車体部材との間を覆うカウルトップカバーであって、
端部同士を突き合わせて互いに連結されるとともにそれぞれ前記ウインドシールドの縁部に嵌着される嵌着部及び前記ウインドシールドと前記車体部材との間を覆う本体部を備えた第１のカバー部材及び第２のカバー部材を具備し、
前記第１のカバー部材は、
前記端部から突設され、所定方向に沿って相手部材を挿入可能な係止受部と、
この係止受部より反前記所定方向に離間して位置し、弾性変形可能な係合片を備えた係合受部と、
前記所定方向に挿入して前記ウインドシールドの縁部に嵌着する嵌着部とを備え、
前記第２のカバー部材は、
前記係止受部に挿入して係止される係止部と、
前記端部から突設され、前記係合片に弾性的に押圧されて前記係合受部に係合される係合部と、
前記第１のカバー部材の端部に沿って前記所定方向に挿入して、前記係止部が前記係止受部に係止され、前記係合部が前記係合受部に係合されるとともに、前記ウインドシールドの縁部に嵌着する嵌着部とを備える
ことを特徴とするカウルトップカバー。
【請求項２】
ボンネットフードと車室の前側に位置するウインドシールドとしてのフロントガラスとの間のカウル部を覆うカウルトップカバーであり、
所定方向は後方であり、
第１のカバー部材及び第２のカバー部材は車幅方向を長手方向とする長尺に形成された
ことを特徴とする請求項１記載のカウルトップカバー。
【請求項３】
第１のカバー部材及び第２のカバー部材のいずれか一方には、第１のカバー部材及び第２のカバー部材のいずれか他方に当接して、弾性変形可能な係合片の外れ方向への移動を阻止する支持部を備えた
ことを特徴とする請求項１または２記載のカウルトップカバー。
【請求項４】
第１のカバー部材及び第２のカバー部材のいずれか一方は、端部から突設され、所定方向に沿って相手部材を挿入可能な第２の係止受部を備え、
第１のカバー部材及び第２のカバー部材のいずれか他方は、前記第２の係止受部に挿入して係止される第２の係止部を備えた
ことを特徴とする請求項１ないし３いずれか一記載のカウルトップカバー。
【請求項５】
係合片は、第１のカバー部材の端部に沿って形成された
ことを特徴とする請求項１ないし４いずれか一記載のカウルトップカバー。
【請求項６】
係合片を操作可能な操作部が設けられた
ことを特徴とする請求項１ないし５いずれか一記載のカウルトップカバー。
【発明の詳細な説明】
【技術分野】
【０００１】
本発明は、例えば、自動車のフロントガラスとボンネットフードとの間に配置されるカウルトップカバーに関する。
【背景技術】
【０００２】
従来、自動車のフロントガラスの前端部とボンネットフードの後側部との間のいわゆるカウル部に配置され、このカウル部を覆って外観を向上するカウルトップカバーが用いられている。そして、このようなカウルトップカバーとして、車体の車幅方向に長いカウルトップカバーを複数の部材に分割し、分割した部材をカウル部で組み合わせて用いる構成が知られている（例えば、特許文献１参照。）。この特許文献１の構成は、左右に２分割された部材を連結して、長尺なカウルトップカバーを形成するもので、各部材は、水平板状の基板部と、この基板部の前端部から立ち上げられた立壁と、この立壁の上端部からさらに前方に延設された平面部とを備えている。そして、各部材の基板部の後端部の下部には、フロントガラスの下端縁に係合する爪部が形成されているとともに、平面部の下面には、複数のピンが突設され、このピンがカウル部の部品の上部に設けた車幅方向を長手方向とする長孔状の取付孔に挿入される。そして、これら左右の部材の取り付け構造としては、右側の部材の端縁から、基板部及び立壁に沿った略Ｌ字状のフランジ部を突設するとともに、このフランジ部に車体の前後方向を長手方向とする長孔する。また、左側の部材の端縁の近傍からは、下方に向かって長孔に挿入される連結ピンが突設されている。そこで、この構成では、左右の部材の取り付け作業は、右側の部材を爪部とピンで車体に取り付けた後、左側の部材を縁部を右側の部材のフランジ部に重ねるとともに連結ピンを長孔に挿入し、さらに、この左側の部材を後側に押し込み爪部をフロントガラスに係合して、車体に取り付けている。
【０００３】
しかしながら、この特許文献１の構成では、左側の部材の取り付け作業が２方向すなわち２動作となるとともに、車両へ取り付けた状態で、右側の部材の略Ｌ字状のフランジ部に左側の部材を密着させるためには、左側の部材の爪部をフロントガラスに係合する作業の際に各部材を大きく歪める必要があり、取り付け時の作業性が悪いとともに、メンテナンス時にカウルトップカバーを取り外すことも困難である。また、各部材は、車体の前後方向には位置決めされるものの、カウル部の部品の寸法のばらつきなどにより、右側の部材に対し連結ピンを軸として左側の部材が回転すると、合わせ目が開いて外観が悪化する。さらに、左側の部材は右側の部材のフランジ部上に載せられているだけであるため、左側の部品が浮き上がると、部材同士の合わせ目に段差が生じ外観が悪化するとともに部品のがたつきが生じる。また、別部材のクリップを用いて、部材同士を固定することも可能であるが、別部材を用いると、部品点数が増加し、製造コストが上昇する問題を有している。
【特許文献１】特開平５−９６９３５号公報（図１）
【発明の開示】
【発明が解決しようとする課題】
【０００４】
上記のように、複数の部材に分割したカウルトップカバーについては、車体への取り付け作業が煩雑であるとともに、組み合わせた部材のみでの位置規制が難しく、がたつきの原因となる。特に、部材同士の連結部分については、車体側の部品の寸法のばらつきなどにより、取り付け後に段差が生じ、外観が悪化する問題を有している。
【０００５】
本発明は、このような点に鑑みなされたもので、容易かつ確実に取り付けできるカウルトップカバーを提供することを目的とする。
【課題を解決するための手段】
【０００６】
請求項１記載のカウルトップカバーは、車体のウインドシールドの縁部と前記車体に設けられた車体部材とに支持されて、これらウインドシールドと車体部材との間を覆うカウルトップカバーであって、端部同士を突き合わせて互いに連結されるとともにそれぞれ前記ウインドシールドの縁部に嵌着される嵌着部及び前記ウインドシールドと前記車体部材との間を覆う本体部を備えた第１のカバー部材及び第２のカバー部材を具備し、前記第１のカバー部材は、前記端部から突設され、所定方向に沿って相手部材を挿入可能な係止受部と、この係止受部より反前記所定方向に離間して位置し、弾性変形可能な係合片を備えた係合受部と、前記所定方向に挿入して前記ウインドシールドの縁部に嵌着する嵌着部とを備え、前記第２のカバー部材は、前記係止受部に挿入して係止される係止部と、前記端部から突設され、前記係合片に弾性的に押圧されて前記係合受部に係合される係合部と、前記第１のカバー部材の端部に沿って前記所定方向に挿入して、前記係止部が前記係止受部に係止され、前記係合部が前記係合受部に係合されるとともに、前記ウインドシールドの縁部に嵌着する嵌着部とを備えるものである。
【０００７】
そして、この構成では、取り付け作業は、まず、第１のカバー部材について、嵌着部をウインドシールドの縁部に嵌着し、車体に取り付ける。次いで、第２のカバー部材について、端部を第１のカバー部材の端部に沿わせて、嵌着部をウインドシールドの縁部に所定方向に挿入して嵌着する。この挿入時に、係止部が、第１のカバー部材の端部から突設された係止受部に挿入して係止される。同時に、端部から突設された係合部が係合受部に係合され、係合片に弾性的に押圧される。このようにして、係止部が係止受部に係止されるとともに、係合部が係合受部に係合され、複数カ所で第１のカバー部材と第２のカバー部材とが強固に確実に連結され、外観が向上する。また、係合部と係合受部とは弾性的に係合するため、がたつくことなく安定して連結される。そして、所定方向に沿った一動作で第１のカバー部材と第２のカバー部材とが連結され、作業性が向上する。さらに、第１のカバー部材と第２のカバー部材とを連結する別体の部材が削減可能になり、製造コストが低減される。さらに、第１のカバー部材は、所定方向に挿入してウインドシールドの縁部に嵌着する嵌着部を備え、第２のカバー部材は、前記第１のカバー部材の端部に沿って前記所定方向に挿入して、係止部が係止受部に係止され、係合部が係合受部に係合されるとともに、前記ウインドシールドの縁部に嵌着する嵌着部を備えたため、取り付け作業は、第１のカバー部材について、嵌着部をウインドシールドの縁部に所定方向に挿入して嵌着し、車体に取り付ける。次いで、第２のカバー部材について、端部を第１のカバー部材の端部に沿わせて、嵌着部をウインドシールドの縁部に所定方向に挿入して嵌着する。この挿入時に、係止部が、第１のカバー部材の端部から突設された係止受部に挿入して係止される。同時に、端部から突設された係合部が係合受部に係合され、係合片に弾性的に押圧される。このようにして、第１のカバー部材と第２のカバー部材とが連結されると同時に、ウインドシールドの縁部にカウルトップカバーが装着される。ウインドシールドの縁部に嵌着部を嵌着する所定方向に沿った一動作で第１のカバー部材と第２のカバー部材とが連結され、作業性が向上する。
【０００８】
請求項２記載のカウルトップカバーは、請求項１記載のカウルトップカバーにおいて、ボンネットフードと車室の前側に位置するウインドシールドとしてのフロントガラスとの間のカウル部を覆うカウルトップカバーであり、所定方向は後方であり、第１のカバー部材及び第２のカバー部材は車幅方向を長手方向とする長尺に形成されたものである。
【０００９】
そして、この構成では、フロントガラスの縁部に嵌着部を嵌着する所定方向に沿った、すなわち前方から後方に押し込む一方向の円滑な作業軌跡のスライド動作で、第１のカバー部材に第２のカバー部材を連結して確実に固定でき、作業性を向上できる。
【００１０】
請求項３記載のカウルトップカバーは、請求項１または２記載のカウルトップカバーにおいて、第１のカバー部材及び第２のカバー部材のいずれか一方には、第１のカバー部材及び第２のカバー部材のいずれか他方に当接して、弾性変形可能な係合片の外れ方向への移動を阻止する支持部を備えたものである。
【００１１】
そして、この構成では、第１のカバー部材及び第２のカバー部材の一方に設けた支持部が、第１のカバー部材及び第２のカバー部材の他方に当接することにより、弾性変形可能な係合片の外れを防止し、第１のカバー部材と第２のカバー部材とが強固に確実に連結される。
【００１２】
請求項４記載のカウルトップカバーは、請求項１ないし３いずれか一記載のカウルトップカバーにおいて、第１のカバー部材及び第２のカバー部材のいずれか一方は、端部から突設され、所定方向に沿って相手部材を挿入可能な第２の係止受部を備え、第１のカバー部材及び第２のカバー部材のいずれか他方は、前記第２の係止受部に挿入して係止される第２の係止部を備えたものである。
【００１３】
そして、この構成では、複数カ所で第１のカバー部材と第２のカバー部材とが係止されるため、第１のカバー部材と第２のカバー部材とが強固に確実に連結される。
【００１４】
請求項５記載のカウルトップカバーは、請求項１ないし４いずれか一記載のカウルトップカバーにおいて、係合片は、第１のカバー部材の端部に沿って形成されたものである。
【００１５】
そして、この構成では、係合受部に係合する第２のカバー部材の係合部の突出寸法が比較的小さく設定される。
【００１６】
請求項６記載のカウルトップカバーは、請求項１ないし５いずれか一記載のカウルトップカバーにおいて、係合片を操作可能な操作部が設けられたものである。
【００１７】
そして、この構成では、操作部の操作により係合部と係合受部との係合が容易に解除され、カウルトップカバーが容易に取り外しされる。
【発明の効果】
【００１８】
本発明のカウルトップカバーによれば、係止部が係止受部に係止されるとともに、係合部が係合受部に係合され、複数カ所で第１のカバー部材と第２のカバー部材とを強固に確実に連結でき、外観を向上できる。また、係合部と係合受部とは弾性的に係合するため、がたつくことなく安定して連結できる。そして、第１のカバー部材と第２のカバー部材とを連結する別体の部材が削減可能になり、製造コストを低減できる。さらに、ウインドシールドの縁部に嵌着部を嵌着する所定方向に沿った一動作で第１のカバー部材と第２のカバー部材とが連結され、作業性を向上できる。
【発明を実施するための最良の形態】
【００１９】
以下、本発明のカウルトップカバーの一実施の形態を図面を参照して説明する。
【００２０】
図２及び図３において、１は車両である自動車の車体で、この車体１には、エンジンルーム２を覆う相手部材であるフードとしてのボンネットフード３と、車室４の前側に位置するウインドシールドとしてのフロントガラス５との間のカウル部６を覆い、車体１にカウルトップカバー11が取り付けられている。なお、以下、反所定方向としての前方（矢印Ｆ方向）、上方（矢印Ｕ方向）、及び左右方向である両側方向（矢印Ｗ方向）などの方向に付いては、車体１の直進方向を基準として説明する。すなわち、後方が所定方向となり、左右の方向は運転者など乗員を基準として説明する。
【００２１】
そして、このカウル部６は、エアボックスなどとも呼ばれるもので、例えば鉄板にて形成されたカウルトップパネル12と、例えば鉄板にて形成され車体を構成する車体部材としての車体パネル14とにより、上側を開口した樋状に形成されている。そして、カウルトップパネル12の上側部には、フロントガラス受部15が設けられ、ホットメルトなどの液密に密着するゴム質の接着剤などのシール材16により、フロントガラス５がカウルトップパネル12に固定されている。また、車体パネル14は、エクステンションパネルなどとも呼ばれるもので、後側部がカウルトップパネル12に固着された図示しない底板部となり、この底板部の前側部が前側上方に立ち上げられた前板部19と、この前板部19の上端部が後側に略水平に延設された固定受部である支持板部20とが設けられている。そして、このカウル部６には、車室４内に外気を導入する図示しない空調装置の空気取入部が接続されているとともに、このカウル部６の一側である右側には、ワイパー21のワイパーアームを駆動するモータなどが配置され、このカウル部６の他側である左側には、バッテリなどの部品が配置されている。
【００２２】
また、ボンネットフード３は、外側すなわち閉じた状態で上側に位置するフードアウタ部25と、このフードアウタ部25の内側すなわち閉じた状態で下側に若干の間隔を介して位置するフードインナ部26とが、一体あるいは別体に形成されている。
【００２３】
そして、カウルトップカバー11は、図１ないし図９に示すように、フロントガラス５の前側下端の縁部5aとこのフロントガラス５の前方に位置するエンジンルーム２の後端との間を覆うもので、カウルカバーなどとも呼ばれ、第１のカバー部材31と第２のカバー部材32とを連結構造により組み合わせて構成されている。なお、以下の各図において、各カバー部材31，32は長尺であるため、連結構造の近傍の部分のみを図示している。そして、このカウルトップカバー11は、カウル部６すなわちカウルトップパネル12及び車体パネル14の上側を覆って外観を向上するように、全体としては、カウル部６に沿って車体１の両側方向Ｗすなわち車幅方向を長手方向とする長尺な略板状に形成されている。また、このカウルトップカバー11を構成する各カバー部材31，32は、例えば、ポリプロピレン（PP）、アクリロニトリル・ブタジエン・スチレン共重合体（ABS）、ポリアミド系合成樹脂などの熱可塑性樹脂を金型を用いて射出成形して形成されている。そして、これらカバー部材31，32の断面形状については、基本的には、カウル部６を覆う本体部33と、この本体部33の前端部に連続して支持板部20に支持される車体取付部35と、この車体取付部35近傍から上方に延設されたシール取付部36と、本体部33の後端部に設けられたクリップ状の嵌着部38とを備えている。
【００２４】
また、本体部33は、被覆部とも呼び得るもので、板状の上壁部41及びこの上壁部41の前端部に沿って形成された雨水排水用の樋部42などを備えている。また、上壁部41には、カウル部６に外気を導入可能な格子状の空気取入口44が形成されている。さらに、第２のカバー部材32には、ワイパー21の形状などに応じて孔部45や凹部が形成されている。
【００２５】
さらに、車体取付部35は、支持板部20上に載置される略水平な板状をなし、所定の位置に形成された複数の取付部46が、樹脂製のクリップやボルトなどの取付具を用いて、あるいは取付部46に一体成形したフック形状により、車体パネル14の支持板部20などに着脱可能に固定されている。
【００２６】
また、シール取付部36は、ボンネットフード３の下方すなわち裏面に配置され、上側に向かって突設する板状に形成されている。そして、このシール取付部36の上部には、上側から嵌合して、弾性変形可能なシール部材としてのカウルトップシール47が配置され、そして、このカウルトップシール47は、例えばゴム製あるいは熱可塑性エラストマー製の筒状をなし、閉じた状態のボンネットフード３に液密に密着し、エンジンルーム２からの熱気や臭気を遮蔽するようになっている。
【００２７】
そして、嵌着部38は、本体部33の上壁部41と一体をなす平板状の上部嵌着片48と、この上部嵌着片48の裏面側すなわち下側に沿って配置される下部嵌着片49とを備えている。そして、下部嵌着片49は、ガラス嵌合爪とも呼び得るもので、上部嵌着片48と略平行な平板状の嵌着片本体部49aと、この嵌着片本体部49aの前端部を上部嵌着片48と一体に連結する連結片49bと、嵌着片本体部49aの後端部から下側に延設された案内片49cとを備えている。また、連結片49bは、一部の厚さ寸法が小さく形成され、弾性的に変形可能になっている。そこで、この嵌着部38は、上部嵌着片48と下部嵌着片49との隙間をフロントガラス５の縁部5aにあてがって、カバー部材31，32を所定方向である後方に押し込むことにより、上下の嵌着片48，49がフロントガラス５を弾性的に挟持し、フロントガラス５の縁部5aに嵌着して取り付けられる。
【００２８】
次に、第１のカバー部材31と第２のカバー部材32との端部31a，32aに設けられ、これらカバー部材31，32を連結する連結構造を説明する。
【００２９】
すなわち、これらカバー部材31，32は、カウルトップカバー11を長手方向の略中央部で２分割した状態で形成され、端部31a，32aは、カウルトップカバー11の略中央部で互いに突き合わされている。
【００３０】
まず、左側に位置する第１のカバー部材31については、連結側の端縁である右側の端部31aに略垂直で平板状の端板51が設けられ、この端板51の後側部である後端部近傍から他方のカバー部材32側である右方に突出して、係止受部53が形成されているとともに、端板51の前端部より前側左方のシール取付部36から車体取付部35の部分に位置して、すなわち係止受部53の前方に離間して、係合受部55が形成されている。
【００３１】
そして、係止受部53は、弾性変形しない強固な固定形状として形成され、端板51と平行な板状で後側上方から前側下方に延びる側板部53aと、この側板部53aの後側の端部を端板51に連結する側板第１連結部53bと、側板部53aの前側の端部を端板51に連結する側板第２連結部53cとを有し、これら部材に囲まれた空間が、少なくとも前方から、本実施の形態では前側及び前側上方から相手部材を挿入可能な溝状の係止用挿入部53dとなっている。
【００３２】
また、係合受部55は、シール取付部36から前方に向かい端部31aに沿って車体取付部35と平行な平板状に突設された係合片56が突設されているとともに、この係合片56の下方に対向する車体取付部35の部分が、パネル載せ面である対向面部57となっている。そして、この係合片56は、スナップフィットレバーとも呼び得るもので、上下方向すなわち対向面部57と接近あるいは離間する方向に弾性変形可能である。さらに、この係合片56は、平板状の係合片基部56aの前端部すなわち先端部に、下方に向かう係合段部56bが形成され、さらに、この係合段部56bから前方に、操作部56cが突設されている。さらに、対向面部57の側方に位置して、車体取付部35には、前端部が後方に向かって切り欠かれた支持受部であるフック受部58が形成されている。
【００３３】
一方、右側に位置する第２のカバー部材32については、左側の端部32aに略垂直で平板状の端板61が設けられ、この端板61の後端部から、係止部63が突設されているとともに、端板61の前端部から他方のカバー部材31側である左方に突出して、係合部65が形成されている。
【００３４】
そして、係止部63は、弾性変形しない強固な固定形状として形成され、全体としては前後方向に沿って配置された垂直な板状をなし、連結側の端縁である端部32aに沿って後方に突設され、先端側である後端部に向かって高さ寸法が小さくなるとともに、先端部は曲面状となっている。
【００３５】
また、係合部65は、基本的には弾性変形しない強固な固定形状として形成され、連結側の端縁である端部32aの端板61から左側に突設されるとともに後面が尖って上下のテーパー面を有する矢尻状の突出部65aを備え、この突出部65aの前側上部に沿って、係合段受部65bが段状に凹設して形成されている。さらに、この突出部65aの先端部には、上下に突出する板状の側突部65cが形成されているとともに、この側突部65cに連続して、支持部としてのフック部65dが形成されている。また、このフック部65dは、両側方向に沿った垂直なフック端板部65eと、このフック端板部65eの下端から後側に水平に延びるフック底板部65fと、このフック底板部65fの後端部から後側下方に傾斜して延びるフック案内板部65gとを備えている。
【００３６】
次に、これら第１のカバー部材31と第２のカバー部材32を車体１に組み付けるとともに、連結構造により互いに連結する動作、すなわち組立方法を説明する。
【００３７】
まず、図１０に示すように、第１のカバー部材31を車体１に取り付ける。この取り付け動作は、嵌着部38の上部嵌着片48と下部嵌着片49との隙間をフロントガラス５の縁部5aにあてがって、第１のカバー部材31を所定方向である後方に押し込み、上下の嵌着片48，49でフロントガラス５を弾性的に挟持して、フロントガラス５の縁部5aに嵌着して取り付ける。この状態で、車体パネル14の支持板部20上に車体取付部35が載置される。そして、取付具などを用いて車体取付部35の取付部46を支持板部20に固定する。
【００３８】
次いで、図１１及び図１２に示すように、第２のカバー部材32を車体１に組み付けると同時に、連結構造により第１のカバー部材31に連結する。この取り付け動作は、第１のカバー部材31と同様に、第２のカバー部材32を第１のカバー部材31に沿って所定方向である後方に押し込み、嵌着部38をフロントガラス５の縁部5aに嵌着して取り付けると同時に、係止部63を係止受部53の係止用挿入部53dに挿入して係止し、さらに、同時に、係合部65を係合受部55に係合して完了し、第２のカバー部材32の第１のカバー部材31に対する上下左右前後の全方向への移動が規制される。
【００３９】
すなわち、図１１に示すように、係止部63を係止受部53の係止用挿入部53dに差し込みはじめ、さらに差し込むと、係合部65の矢尻状の突出部65aが係合片56と対向面部57とに接触する。さらに第２のカバー部材32を後方に押し込むと、突出部65aのテーパー面に押されて係合片56が上方にたわみ変形し、突出部65aをさらに押し込むことが可能になる。さらに、第２のカバー部材32を後方に押し込み、図１２に示すように、係合片56の係合段部56bが係合部65の係合段受部65bを乗り越えると、係合片56が下方に復帰変形し、係合段部56bが係合段受部65bに係合して、第２のカバー部材32が前方すなわち外れ方向に移動することが阻止され、いわばワンタッチロック機能が実現されている。さらに、係合片56が弾性的に係合部65の突出部65aを対向面部57に押し付けて弾性的に挟持し、がたつくことなく上下方向の移動を規制する。さらに、この状態で、フック部65dがフック受部58に係合して上下から挟み込み、二重に上下方向の移動を規制する。すなわち、このフック部65dとフック受部58との係合により、第２のカバー部材32に、上方に向かう負荷が加わった場合にも、突出部65aに押されて係合片56が上方に撓み、第１のカバー部材31と第２のカバー部材32との分割面に段差(面差)が発生することを防止する。さらに、この状態で、係合部65の側突部65cの側面が係合片56の側部の端面と接触し、第２のカバー部材32の前部の左右の移動を規制する。さらに、この状態で、係止受部53の溝状の係止用挿入部53dに係止部63が係止され、第２のカバー部材32の後方への移動が規制されるとともに、上下方向への移動が規制され、さらに、係止部63の両側面が係止用挿入部53dの内壁すなわち側板部53aと端板51とに接触して、左右方向への移動が規制される。
【００４０】
また、この状態で、第２のカバー部材32についても、必要に応じて、第１のカバー部材31と同様に、車体パネル14の支持板部20上に載置された車体取付部35の取付部46を、取付具などを用いて支持板部20に固定する。
【００４１】
一方、この第２のカバー部材32を取り外す際は、第１のカバー部材31の係合片56を、操作部56cを摘むなどして上方に引き上げ、係合片56の係合段部56bと係合部65の係合段受部65bとの係合を解除した状態で、第２のカバー部材32を前方に引き抜くことにより、第２のカバー部材32を取り外すことができる。次いで、取付部46を外すことにより、第１のカバー部材31を前方に引き抜いて取り外すことができる。
【００４２】
このように、本実施の形態によれば、複数のカバー部材31，32を組み合わせて構成するカウルトップカバー11であって、相隣する２個のカバー部材31，32を連結して車両に取り付けるための連結構造について、係止部63が係止受部53に係止されるとともに、係合部65が係合受部55に係合され、前後に互いに離間した複数カ所で第１のカバー部材31と第２のカバー部材32とを、前後、左右、上下の全方向に位置決め規制して強固に確実に連結でき、がたつきやカバー部材31，32同士の分割ラインの段差を抑制し、外観を向上できる。
【００４３】
また、係合部65と係合受部55とは弾性的に係合するため、第１のカバー部材31と第２のカバー部材32とをがたつくことなく安定して連結できる。
【００４４】
このようにして、車体側の部品の寸法のばらつきなどに左右されることなく、カウルトップカバー11のみで安定した面差、前後位置を規制できるとともに、この状態を維持し、高品質な外観を維持することができる。
【００４５】
そして、フロントガラス５の縁部5aに嵌着部38を嵌着する所定方向に沿った、すなわち第１のカバー部材31に沿って前方から後方に押し込む一方向の円滑な作業軌跡のスライド動作で、予め車体１に取り付けた第１のカバー部材31に第２のカバー部材32を連結して確実に固定でき、作業性を向上できる。
【００４６】
また、係合片56を操作可能な操作部56cを設けたため、この１カ所の操作部56cの操作により係合部65と係合受部55との係合を容易に解除可能であり、第１のカバー部材31及び第２のカバー部材32を容易に取り外しでき、着脱作業を単純化し、容易にして、車両のカウル部６などのメンテナンスの作業性を向上し、短時間での作業が可能になる。
【００４７】
そして、この脱着作業の際に、各部の部品に無理な力が加わらないため、脱着作業時に各部の部品を保護し、破損や変形を防止できる。
【００４８】
また、係合部65には、係合受部55あるいは係合受部55の近傍に当接して、弾性変形可能な係合片56の外れ方向への移動を阻止する支持部としてのフック部65dを備えたため、係合部65と係合受部55との外れを防止し、第１のカバー部材31と第２のカバー部材32とを強固に確実に連結できる。
【００４９】
さらに、第１のカバー部材31と第２のカバー部材32とを連結する別体のクリップなどの部材が削減可能になり、部品点数を削減して製造コストを低減できる。
【００５０】
また、係止受部53、係合受部55、係止部63、及び係合部65などの構成要素は、全て射出成形により第１のカバー部材31及び第２のカバー部材32に一体に形成されるため、構造を簡略化でき、また、軽量化が可能になる。
【００５１】
また、係止受部53、係合受部55、係止部63、及び係合部65などの構成要素は、前後に並んで配置されているため、連結構造を小型化して、僅かなスペースに連結構造を配置でき、上下方向の寸法の小さいカウルトップカバー11にも適用できる。
【００５２】
なお、上記の実施の形態では、係合部65について、矢尻状の突出部65aの側方に位置をずらしてフック部65dを形成したが、この構成に限られず、例えば図１３に示すように、突出部65aの下方さらには真下にフック部65dを形成することもできる。
【００５３】
なお、上記の実施の形態では、係止受部53及び係止部63と、係合受部55及び係合部65との組み合わせをそれぞれ１個ずつ設けたが、この構成に限られず、複数の係止受部53及び係止部63あるいは複数の係合受部55及び係合部65を設けることもできる。また、カウルトップカバー11の本体部33は適宜の形状を採ることができる。
【００５４】
次に、本発明の第２の実施の形態を説明する。
【００５５】
この実施の形態のカウルトップカバー11すなわち第１のカバー部材31および第２のカバー部材32は、図１４ないし図２１に示すように、第１の実施の形態に比べ、前後方向の寸法は小さく、上下方向の寸法は大きく形成されている。また、この構成では、本体部33に樋部42が形成されておらず、比較的単純な形状となっている。また、車体取付部35とシール取付部36との間に、前板部35aが形成され、係合受部55の係合片56は前板部35aから突設されている。
【００５６】
そして、この実施の形態では、第１の実施の形態の構成に加え、一方のカバー部材、ここでは第２のカバー部材32から、第３の固定部とも言い得る支持板部71を突設し、この支持板部71を第１のカバー部材31に当接することにより、第１のカバー部材31と第２のカバー部材32とを安定して固定し、がたつきや分割ラインでの段差(面差)の発生を防止できる。
【００５７】
すなわち、この支持板部71は、第２のカバー部材32の係合部65の上方に配置され、支持部を構成する略水平な上板部72と、この上板部72の後端部から下方に突設される後板部73とを備え、断面略Ｌ字状をなしているとともに、これら上板部72と後板部73とはリブ74により連結されている。また、後板部73には、少なくとも後方に開口して、矩形孔状の位置決め受部75が形成されている。一方、第１のカバー部材31には、係合片56の上方に位置して、支持受部となる面から前側に向かい、先端部を案内用の傾斜面とした四角柱状の位置決め部77が突設されている。また、この構成では、第２のカバー部材32の上板部72が支持部として機能し、第１のカバー部材31の本体部の面が支持受部として機能するため、係合部65にフック部65dは設けられず、構成が簡略化されている。
【００５８】
そして、この構成においても、図２２ないし図２４に示すように、第１の実施の形態と同様に、第１のカバー部材31を車体１に取り付け、第２のカバー部材32を第１のカバー部材31に沿って所定方向である後方に押し込み、嵌着部38をフロントガラス５の縁部5aに嵌着して取り付けると同時に、係止部63を係止受部53の係止用挿入部53dに挿入して係止し、さらに、同時に、係合部65を係合受部55に係合して取付動作を完了でき、第２のカバー部材32の第１のカバー部材31に対する上下左右前後の全方向への移動が規制される。
【００５９】
さらに、この構成では、第２のカバー部材32の上板部72及び後板部73が互いに異なる方向で、かつ、係合部65及び係止部63の上方に離間して第１のカバー部材31に面状に当接するとともに、位置決め部77が位置決め受部75に挿入され、カウルトップカバー11の上側の位置で上下左右及び後方に向かう位置を規制するため、上下方向の寸法の大きいカウルトップカバー11についても、安定して連結した形状を保持できる。
【００６０】
このように、係合部65及び係止部63の上方あるいは下方に離間して位置決め部、あるいは係合部65または係止部63と同様の構成を設けることにより、上下方向の寸法の大きいカウルトップカバー11についても、がたつきを防止し安定して連結した形状を保持できる。
【００６１】
なお、上記の実施の形態では、第１のカバー部材31に位置決め部77を突設し、第２のカバー部材32の支持板部71に孔状の位置決め受部75を設けたが、この構成に限られず、図２５に示すように、第１のカバー部材31に孔状の位置決め受部75を設け、第２のカバー部材32の支持板部71に位置決め部77を突設することもできる。
【００６２】
また、位置決め受部75及び位置決め部77の形状は、上記のようにピンと孔とのものに限られず、種々の構造を採ることができる。
【００６３】
例えば、図２６及び図２７に示すように、第１のカバー部材31の端板51に沿って、前方に向かい板状の位置決め部77を突設するとともに、第２のカバー部材32の端板61などから、板状の位置決め部77に嵌合する断面略Ｕ状の位置決め受部75を突設することもできる。
【００６４】
さらに、例えば、図２８ないし図３０に示すように、第１のカバー部材31の端板51に、前方から挿入可能な溝状の位置決め受部75を設けるとともに、第２のカバー部材32の端板61などから、位置決め受部75に挿入可能な板状の脚部77aと、この脚部77aの先端部に設けられ端板51の内面側に係合する頭部77bとを備えたいわばキノコ状フックである位置決め部77を設けることもできる。
【００６５】
次に、本発明の第３の実施の形態を説明する。
【００６６】
この実施の形態のカウルトップカバー11すなわち第１のカバー部材31および第２のカバー部材32は、図３１ないし図３９に示すように、第１の実施の形態に比べ、前後方向の寸法が大きく、全体として１枚の板状に形成することにより、衝撃吸収特性が良好で、非乗員である歩行者保護に適した形状とされている。また、シール取付部36は、車体取付部35の前端部から上方に延設され、このシール取付部36の上端部から前方に延設された前上板部36aに、カウルトップシール47が接着剤などを用いて固定されている。さらに、本体部33の前後方向の中間部には、樋部42の後側に連続し、前側上方に突出した部分から後側下方に向かって傾斜する傾斜面部81が形成されている。
【００６７】
そして、この実施の形態では、第１の実施の形態の構成に加え、一方のカバー部材、ここでは第２のカバー部材32について、係止部63と係合部65との前後方向の間に位置して、第２の係止部83が形成されているとともに、他方のカバー部材、ここでは第１のカバー部材31について、係止受部53と係合受部55との前後方向の間に位置して、第２の係止受部84が形成されている。そして、第２の係止部83は、Ｌ字状フック部とも呼び得るもので、弾性変形しない強固な固定形状として形成され、第２のカバー部材32の端部32aの端面から突設された第２の係止部本体部83aと、この第２の係止部本体部83aの先端部に端板61と平行に形成された側板部83bと、この側板部83bの後側の端部を端板61に連結する側板連結部83cとが形成されている。また、第２の係止受部84は、第１のカバー部材31の本体部33及び端板51の一部を切り欠くようにして、前方を開口し、少なくとも前方から、相手部材を挿入可能なＬ形溝部である係止用挿入部84dとなっている。
【００６８】
また、この実施の形態では、係止部63は、第２のカバー部材32の端部32aに沿って、本体部33とともにコの字状の係止部を構成している。
【００６９】
また、第１のカバー部材31の係合受部55の係合片56は、対向面部57の下方に位置して水平状に配置され、前側に突設されているとともに、下方に向かって弾性変形可能に形成されている。すなわち、係合部65に対する係合受部55の係合片56の外れ方向は、下方に向かう方向となる。そして、係合部65には、矢尻状の突出部65a、係合段受部65b及び側突部65cは形成されているが、フック部65dは形成されていない。そして、支持部としてのフック部86が、第２のカバー部材32の前端部に位置する前上板部36aから左側に突設されているとともに、このフック部86に係合する支持受部としてのフック受部87が第１のカバー部材31の前端部に位置する前上板部36aに凹設して板状に形成されている。また、フック部86は、フック受部87の上面から前面を介して下面に当接するコの字状をなし、第２のカバー部材32すなわち係合部65の上下方向及び後方への移動を規制するとともに、フック部86に形成した切欠部86aが、フック受部87に形成した突条87aに係合して、左右方向の移動を規制している。
【００７０】
そして、この構成においても、図４０ないし図４２に示すように、第１の実施の形態と同様に、第１のカバー部材31を車体１に取り付け、第２のカバー部材32を第１のカバー部材31に沿って所定方向である後方に押し込み、嵌着部38をフロントガラス５の縁部5aに嵌着して取り付けると同時に、係止部63を係止受部53の係止用挿入部53dに挿入して係止し、上下左右及び後方への移動を規制し、同時に、第２の係止部83の第２の係止部本体部83aを第２の係止受部84の係止用挿入部84dに挿入して係止し、上下左右及び後方への移動を規制し、さらに、同時に、係合部65を係合受部55に係合するとともにフック部86をフック受部87に係合して、上下左右及び前後方向への移動を規制して、取付動作を完了でき、第２のカバー部材32の第１のカバー部材31に対する上下左右前後の全方向への移動が規制される。
【００７１】
また、この構成では、第１のカバー部材31の係合片56を操作部56cを摘むなどして下方に引き下げることにより、係合片56の係合段部56bと係合部65の係合段受部65bとの係合を解除した状態で、第２のカバー部材32を前方に引き抜くことにより、第２のカバー部材32を取り外すことができる。次いで、取付部46を外すことにより、第１のカバー部材31を前方に引き抜いて取り外すことができる。
【００７２】
このように、本実施の形態によれば、上記の各実施の形態の効果に加え、係止部63と係合部65との前後方向の間、すなわち、カウルトップカバー11の前後方向の中央部近傍で、第２の係止部83と第２の係止受部84とが係止されるため、前後方向の寸法の大きいカウルトップカバー11についても、がたつきを防止し安定して連結した形状を保持できる。
【００７３】
すなわち、係止部63と係合部65との前後方向の間、すなわち、カウルトップカバー11の前後方向の中央部近傍で、位置決め部、あるいは係合部65または係止部63と同様の構成を設け、すなわち、いずれかのカバー部材31，32から他方のカバー部材31，32に向かって突設する構造と、この突設した部分を受ける構造を設けることにより、歩行者保護に適した前後方向の寸法の大きいカウルトップカバー11についても、がたつきを防止し安定して連結した形状を保持できる。
【００７４】
また、第１のカバー部材31の本体部33を切り欠いて形成した第２の係止受部84は、第２の係止部83で覆うことにより、外観を向上できる。
【００７５】
なお、この第３の実施の形態の構成で、カウルトップカバー11の前後方向の寸法が小さい場合には、第２の係止部83と第２の係止受部84とを省略した構造とすることもできる。
【００７６】
次に、本発明の第４の実施の形態を説明する。
【００７７】
この実施の形態のカウルトップカバー11すなわち第１のカバー部材31および第２のカバー部材32は、図４３ないし図５１に示すように、第３の実施の形態と同様に、前後方向の寸法が大きく形成されている。一方、第３の実施の形態に比べ、第２の係止部83の前側下方に位置して、第３の係止部91が形成され、第２の係止受部84の前側下方に位置して、第３の係止受部93が形成されているとともに、係合受部55及び係合部65の形状が変更されている。
【００７８】
すなわち、第３の係止部91は、係止部63と同様に、弾性変形しない強固な固定形状として形成され、第２のカバー部材32の端部32aに沿って、本体部33とともにコの字状の係止部を構成している。
【００７９】
また、第３の係止受部93は、係止受部53と同様に、弾性変形しない強固な固定形状として形成され、端板51と平行な板状で後側上方から前側下方に延びる側板部93aと、この側板部93aの後側の端部を端板51に連結する側板第１連結部93bと、側板部93aの前側の端部を端板51に連結する側板第２連結部93cとを有し、これら部材に囲まれた空間が、少なくとも前方から、本実施の形態では前側及び前側上方から相手部材を挿入可能な溝状の係止用挿入部93dとなっている。
【００８０】
一方、第１のカバー部材31の係合受部55の係合片56は、端部31aの端板51に沿って垂直状に配置され、前端部から前側に突設されているとともに、左側に向かって弾性変形可能に形成されている。また、第２のカバー部材32の係合部65は、端部32aの端板61に沿って、前端部から前側及び左側に若干突設されている。そして、この係合部65は、後側の面が端板61に連続する傾斜面となり、突出部65aとして機能するとともに、前側の面が係合段受部65bとなり、さらに、突出部65aの上端部には、水平板状の側突部65cが形成されているが、フック部65dは形成されていない。すなわち、係合部65に対する係合受部55の係合片56の外れ方向は、左方に向かう方向となる。また、対向面部57は設けておらず、構成が簡略化されている。
【００８１】
そして、この構成においても、図５２ないし図５６に示すように、第３の実施の形態と同様に、第１のカバー部材31を車体１に取り付け、第２のカバー部材32を第１のカバー部材31に沿って所定方向である後方に押し込み、嵌着部38をフロントガラス５の縁部5aに嵌着して取り付けると同時に、係止部63を係止受部53の係止用挿入部53dに挿入して係止し、上下左右及び後方への移動を規制し、同時に、第２の係止部83の第２の係止部本体部83aを第２の係止受部84の係止用挿入部84dに挿入して係止し、上下左右及び後方への移動を規制し、同時に、第３の係止部91を第３の係止受部93の係止用挿入部93dに挿入して係止し、上下左右及び後方への移動を規制し、さらに、同時に、係合部65を係合受部55に係合するとともにフック部86をフック受部87に係合して、上下左右及び前後方向への移動を規制して、取付動作を完了でき、第２のカバー部材32の第１のカバー部材31に対する上下左右前後の全方向への移動が規制される。
【００８２】
ここで、係合部65と係合受部55との係合動作は、図５０に示す状態から、第２のカバー部材32を押し込むと、図５１及び図５２に示すように、係合部65の傾斜面の突出部65aが係合片56に接触する。さらに第２のカバー部材32を後方に押し込むと、突出部65aの傾斜面に押されて係合片56が左方にたわみ変形し、突出部65aをさらに押し込むことが可能になる。さらに、第２のカバー部材32を後方に押し込み、図５３及び図５４に示すように、係合片56の係合段部56bが係合部65の係合段受部65bを乗り越えると、係合片56が右方に復帰変形し、係合段部56bが係合段受部65bに係合して、第２のカバー部材32が前方すなわち外れ方向に移動することが阻止され、いわばワンタッチロック機能が実現されている。さらに、係合片56が弾性的に係合部65の突出部65aを左側に押圧し、がたつくことなく左右方向の移動を規制する。さらに、この状態で、突出部65aの上端部に設けた側突部65cの下面が係合片56の上端の端面に接触し、上下方向の移動を規制する。
【００８３】
また、この構成では、第１のカバー部材31の係合片56を操作部56cを摘むなどして左方に押すことにより、係合片56の係合段部56bと係合部65の係合段受部65bとの係合を解除し、第２のカバー部材32を前方に引き抜くことにより、第２のカバー部材32を取り外すことができる。次いで、取付部46を外すことにより、第１のカバー部材31を前方に引き抜いて取り外すことができる。
【００８４】
このように、本実施の形態によれば、係止部63と係止受部53との係止でカウルトップカバー11の後側部を位置決めし、係合部65と係合受部55との係合で前側部を位置決めし、第２の係止部83と第２の係止受部84との係止で前後方向の中央上部を位置決めし、第３の係止部91と第３の係止受部93との係止で前後方向の中央下部を位置決めして、歩行者保護に適した前後方向及び上下方向に比較的大きい寸法のカウルトップカバー11についても、分割面を協力に連結して、がたつきを防止し安定して連結した形状を保持できる。
【００８５】
なお、この第４の実施の形態の構成で、カウルトップカバー11の寸法や形状に応じて、第３の係止部91と第３の係止受部93とを省略し、あるいは、第２の係止部83と第２の係止受部84とを省略した構造とすることもできる。
【００８６】
なお、上記の各実施の形態において、カウルトップカバー11の構造は左右を逆に配置することもできる。
【００８７】
また、各実施の形態においては、２個に分割したカウルトップカバー11について説明したが、３個以上の複数個に分割したカウルトップカバーに適用することもできる。
【００８８】
また、各実施の形態において、第１のカバー部材31と第２のカバー部材32が突き合わされる部分、あるいは、互いに係合あるいは係止して接触する部分などには、寸法誤差の吸収のため、予め僅かな隙間を設定することもできる。
【００８９】
また、各カウルトップカバー11は、車両に衝突した非乗員などの衝撃を吸収して保護するため、適宜の位置で破断可能とすることもできる。
【産業上の利用可能性】
【００９０】
本発明は、自動車のフロントガラスとボンネットフードとの間に配置されるカウルトップカバーに適用できる。
【図面の簡単な説明】
【００９１】
【図１】本発明のカウルトップカバーの第１の実施の形態を示す分解状態の後方から見た一部の説明図である。
【図２】同上カウルトップカバーを備えた車両のボンネットフードを取り外した状態の一部の説明図である。
【図３】同上車両を示す図２のＩ−Ｉ相当位置の断面図である。
【図４】同上カウルトップカバーを示す分解状態の前方から見た一部の説明図である。
【図５】同上カウルトップカバーを示す組立状態の後側上方から見た一部の斜視図である。
【図６】同上カウルトップカバーを示す組立状態の後側下方から見た一部の斜視図である。
【図７】同上カウルトップカバーを示す組立状態の前側下方から見た一部の斜視図である。
【図８】同上カウルトップカバーを示す組立状態の前側上方から見た一部の斜視図である。
【図９】同上カウルトップカバーを示す組立状態の図５のII−II断面相当位置の説明図である。
【図１０】同上カウルトップカバーを示す組み立て工程の説明図である。
【図１１】同上カウルトップカバーを示す図１０に続く組み立て工程の説明図である。
【図１２】同上カウルトップカバーを示す図１１に続く組み立て工程の説明図である。
【図１３】同上カウルトップカバーの係合受部の他の形態を示す一部の斜視図である。
【図１４】本発明のカウルトップカバーの第２の実施の形態を示す分解状態の後方から見た一部の説明図である。
【図１５】同上カウルトップカバーを備えた車両のボンネットフードを取り外した状態の一部の説明図である。
【図１６】同上車両を示す図１５のIII−III相当位置の断面図である。
【図１７】同上カウルトップカバーを示す分解状態の前方から見た一部の説明図である。
【図１８】同上カウルトップカバーを示す組立状態の後側上方から見た一部の斜視図である。
【図１９】同上カウルトップカバーを示す組立状態の後側下方から見た一部の斜視図である。
【図２０】同上カウルトップカバーを示す組立状態の前側下方から見た一部の斜視図である。
【図２１】同上カウルトップカバーを示す組立状態の前側上方から見た一部の斜視図である。
【図２２】同上カウルトップカバーを示す組み立て工程の説明図である。
【図２３】同上カウルトップカバーを示す図２２に続く組み立て工程の説明図である。
【図２４】同上カウルトップカバーを示す図２３に続く組み立て工程の説明図である。
【図２５】同上カウルトップカバーの係合部及び係合受部の他の形態を示す一部の斜視図である。
【図２６】同上カウルトップカバーの係合部及び係合受部のさらに他の形態を示す一部の斜視図である。
【図２７】同上カウルトップカバーを示す図２６のIV−IV相当位置の断面図である。
【図２８】同上カウルトップカバーの係合部及び係合受部のさらに他の形態を示す一部の斜視図である。
【図２９】同上カウルトップカバーを示す図２８のＶ−Ｖ相当位置の組立状態の断面図である。
【図３０】同上カウルトップカバーを示す図２８のVI−VI相当位置の組立状態の断面図である。
【図３１】本発明のカウルトップカバーの第３の実施の形態を示す分解状態の後方から見た一部の説明図である。
【図３２】同上カウルトップカバーを備えた車両のボンネットフードを取り外した状態の一部の説明図である。
【図３３】同上車両を示す図３２のVII−VII相当位置の断面図である。
【図３４】同上カウルトップカバーを示す分解状態の前方から見た一部の説明図である。
【図３５】同上カウルトップカバーを示す組立状態の後側上方から見た一部の斜視図である。
【図３６】同上カウルトップカバーを示す組立状態の後側下方から見た一部の斜視図である。
【図３７】同上カウルトップカバーを示す組立状態の前側下方から見た一部の斜視図である。
【図３８】同上カウルトップカバーを示す組立状態の前側上方から見た一部の斜視図である。
【図３９】同上カウルトップカバーを示す組立状態の図３８のVIII−VIII断面相当位置の説明図である。
【図４０】同上カウルトップカバーを示す組み立て工程の説明図である。
【図４１】同上カウルトップカバーを示す図４０に続く組み立て工程の説明図である。
【図４２】同上カウルトップカバーを示す図４１に続く組み立て工程の説明図である。
【図４３】本発明のカウルトップカバーの第４の実施の形態を示す分解状態の後方から見た一部の説明図である。
【図４４】同上カウルトップカバーを備えた車両のボンネットフードを取り外した状態の一部の説明図である。
【図４５】同上車両を示す図４４のIX−IX相当位置の断面図である。
【図４６】同上カウルトップカバーを示す分解状態の前方から見た一部の説明図である。
【図４７】同上カウルトップカバーを示す組立状態の後側上方から見た一部の斜視図である。
【図４８】同上カウルトップカバーを示す組立状態の後側下方から見た一部の斜視図である。
【図４９】同上カウルトップカバーを示す組立状態の前側下方から見た一部の斜視図である。
【図５０】同上カウルトップカバーを示す組立状態の前側方から見た一部の斜視図である。
【図５１】同上カウルトップカバーを示す組立状態の図５０のＸ−Ｘ断面相当位置の説明図である。
【図５２】同上カウルトップカバーを示す組み立て工程の説明図である。
【図５３】同上カウルトップカバーを示す図５２に続く組み立て工程の説明図である。
【図５４】同上カウルトップカバーを示す図５３のXI−XI相当位置の断面図である。
【図５５】同上カウルトップカバーを示す図５３に続く組み立て工程の説明図である。
【図５６】同上カウルトップカバーを示す図５５のXII−XII相当位置の断面図である。
【符号の説明】
【００９２】
３ ボンネットフード
４ 車室
５    ウインドシールドとしてのフロントガラス
5a    縁部
６ カウル部
11    カウルトップカバー
14    車体部材としての車体パネル
31    第１のカバー部材
31a   端部
32    第２のカバー部材
32a   端部
33    本体部
38    嵌着部
53    係止受部
55    係合受部
56    係合片
56c   操作部
63    係止部
65    係合部
65d   支持部としてのフック部
【図１】
0004781900.tif 000002
【図２】
0004781900.tif 000003
【図３】
0004781900.tif 000004
【図４】
0004781900.tif 000005
【図５】
0004781900.tif 000006
【図６】
0004781900.tif 000007
【図７】
0004781900.tif 000008
【図８】
0004781900.tif 000009
【図９】
0004781900.tif 000010
【図１０】
0004781900.tif 000011
【図１１】
0004781900.tif 000012
【図１２】
0004781900.tif 000013
【図１３】
0004781900.tif 000014
【図１４】
0004781900.tif 000015
【図１５】
0004781900.tif 000016
【図１６】
0004781900.tif 000017
【図１７】
0004781900.tif 000018
【図１８】
0004781900.tif 000019
【図１９】
0004781900.tif 000020
【図２０】
0004781900.tif 000021
【図２１】
0004781900.tif 000022
【図２２】
0004781900.tif 000023
【図２３】
0004781900.tif 000024
【図２４】
0004781900.tif 000025
【図２５】
0004781900.tif 000026
【図２６】
0004781900.tif 000027
【図２７】
0004781900.tif 000028
【図２８】
0004781900.tif 000029
【図２９】
0004781900.tif 000030
【図３０】
0004781900.tif 000031
【図３１】
0004781900.tif 000032
【図３２】
0004781900.tif 000033
【図３３】
0004781900.tif 000034
【図３４】
0004781900.tif 000035
【図３５】
0004781900.tif 000036
【図３６】
0004781900.tif 000037
【図３７】
0004781900.tif 000038
【図３８】
0004781900.tif 000039
【図３９】
0004781900.tif 000040
【図４０】
0004781900.tif 000041
【図４１】
0004781900.tif 000042
【図４２】
0004781900.tif 000043
【図４３】
0004781900.tif 000044
【図４４】
0004781900.tif 000045
【図４５】
0004781900.tif 000046
【図４６】
0004781900.tif 000047
【図４７】
0004781900.tif 000048
【図４８】
0004781900.tif 000049
【図４９】
0004781900.tif 000050
【図５０】
0004781900.tif 000051
【図５１】
0004781900.tif 000052
【図５２】
0004781900.tif 000053
【図５３】
0004781900.tif 000054
【図５４】
0004781900.tif 000055
【図５５】
0004781900.tif 000056
【図５６】
0004781900.tif 000057